(57)【要約】【課題】  その目的は、真贋を判定でき、また、抜け殻の転写箔から情報が保たれる転写後のポジホログラム像とネガホログラム像との照合方法を提供する。【解決手段】  （１）基材３１に電子写真法でトナー印刷物３０とする工程、（２）ホログラム転写箔１０を作製する工程、（３）トナー印刷部３５へポジホログラム像４１を転写するポジホログラム像転写工程、（４）転写後にネガホログラム像４３が残ったネガホログラム転写箔５０とし、（５）さらに第二接着層を設けて接着性ネガホログラム転写箔６０とし、（６）被転写体１０１へネガホログラム像４３を転写し、（７）ポジホログラム像４１とネガホログラム像４３とを照合する照合工程、とからなることを特徴とする。【選択図】  図３
2014059419.tif 000002
【特許請求の範囲】
【請求項１】
転写後のポジホログラム像とネガホログラム像との照合方法であって、
（１）基材と、該基材の少なくとも一方の面に、トナーを用いた電子写真法で任意絵柄のトナー印刷部を印画しトナー印刷物を作製する電子写真工程、
（２）転写基材と、該転写基材へ、離型層、ホログラム層、反射層、及び前記トナー印刷部には接着し、かつ前記基材には接着しない第一接着層とからなるホログラム転写箔の前記第一接着層と前記トナー印刷部とを重ねて加熱加圧した後に、前記転写基材を剥離し除去して、前記トナー印刷部面へ前記ポジホログラム像が転写されてなるポジホログラム像転写工程、
（３）転写後の前記ポジホログラム像部分が抜けて、前記ネガホログラム像が残っているネガホログラム転写箔を得るネガホログラム転写箔工程、
（４）前記ネガホログラム転写箔の前記第一接着層面へ、さらに第二接着層を設ける接着性ネガホログラム転写箔を作製する接着性ネガホログラム転写箔作製工程、
（５）前記接着性ネガホログラム転写箔を用いて、被転写体へ前記ネガホログラム像を転写するネガホログラム像転写工程、
（６）前記ポジホログラム像と前記ネガホログラム像とを照合する照合工程、
とからなることを特徴とする転写後のポジホログラム像とネガホログラム像との照合方法。
【請求項２】
基材と、該基材の少なくとも一方の面に、トナーを用いた電子写真法で任意絵柄のトナー印刷部を印画しトナー印刷物としておき、
転写基材と、該転写基材へ、離型層、ホログラム層、反射層、及び前記トナー印刷部には接着し、かつ前記基材には接着しない第一接着層とからなるホログラム転写箔を用いて、
前記トナー印刷部へ前記ホログラム転写箔の前記第一接着層を重ねて加熱加圧した後に、前記転写基材を剥離し除去して、前記トナー印刷部面へ前記ポジホログラム像を転写し、
転写後の前記ポジホログラム像部分が抜けて前記ネガホログラム像が残っているネガホログラム転写箔を得、
該ネガホログラム転写箔の前記第一接着層面へ、さらに第二接着層を設けて接着性ネガホログラム転写箔とし、
該接着性ネガホログラム転写箔を用いて、被転写体へ前記ネガホログラム像を転写し、
前記ポジホログラム像と前記ネガホログラム像とを照合した後に、
前記ネガホログラム像を有する転写体を保存することを特徴とするネガホログラム像を有する転写体。
【発明の詳細な説明】
【技術分野】
【０００１】
本発明は、転写後のポジホログラム像とネガホログラム像との照合方法に関し、さらに詳しくは、転写後に、ポジ像とネガ像とを照合することでの真贋判定、貴重品の控、ネガ像の紛失防止のための転写後のポジホログラム像とネガホログラム像との照合方法、及びネガホログラム像を有する転写体に関するものである。
【０００２】
本明細書において、配合を示す「比」、「部」、「％」などは特に断わらない限り質量基準であり、「／」印は一体的に積層されていることを示す。
【背景技術】
【０００３】
（背景技術）ホログラム転写箔を用いて、ホログラムを転写すると、転写絵柄が個人情報や機密情報の場合、ホログラムのポジ像が転写され、転写後に剥離されたホログラム転写箔にはホログラムの抜け殻としてネガ像が残ってしまう。該ネガ像は個人情報や機密情報が読み取れるので、他人へ渡った場合には個人情報や機密情報が漏洩してしまう。
【０００４】
（従来技術）従来、反射型ホログラムの転写箔を用いて被転写基体表面の任意の選択パターン上に反射型ホログラムを選択的に転写する方法において、被転写基体表面若しくは転写箔の反射層又は保護樹脂層表面の選択的パターン領域に接着剤（特許文献２の請求項６でのトナーが本願発明の接着層に相当する）を選択的に塗布し、転写箔の反射層又は保護樹脂層を被転写基体表面に向けて重ね合わせ、接着後にベースフィルムを剥離することにより、接着剤塗布領域においてのみ選択的に反射型ホログラムを転写することを特徴とする反射型レリーフホログラムの選択的転写方法を開示している（例えば、特許文献１参照。）。また、本出願人は（特願２０１１−２７３３３０号）で、紙表面へオンデマンドによって印画された任意絵柄のトナー印刷部に、前記任意絵柄よりも大きいサイズのホログラム転写箔を用いて、該ホログラムを選択的に転写するオンデマンドによる可変形状ホログラムの製造方法を開示している。しかしながら、いずれも、トナー印刷物のトナーパターンが個人情報や機密情報の場合、ホログラムを転写することにより、転写後に剥離されたホログラム転写箔にはホログラムの抜け殻としてネガ像が残ってしまう。該ネガ像が他人へ渡った場合には個人情報や機密情報が漏洩するという欠点がある。
【先行技術文献】
【特許文献】
【０００５】
【特許文献１】特開平４−２４７４８６号公報
【発明の概要】
【発明が解決しようとする課題】
【０００６】
そこで、本発明は上記のような問題点を解消するために、本発明者らは鋭意研究を進め、本発明の完成に至ったものである。その目的は、転写後のポジホログラム像とネガホログラム像とを照合し合致すれば真贋を判定でき、また、トナー印刷物のトナーパターンが個人情報や機密情報の場合でも、トナーパターンへホログラムを転写すると、トナーパターンへ選択的にホログラムのポジ像が転写され、転写後に剥離されたホログラム転写箔にはホログラムの抜け殻としてネガ像が残ってしまうが、該ネガ像から個人情報や機密情報が他人へ渡されない転写後のポジホログラム像とネガホログラム像との照合方法を提供することである。
【課題を解決するための手段】
【０００７】
上記の課題を解決するために、本発明の請求項１の発明に係わる転写後のポジホログラム像とネガホログラム像との照合方法は、  転写後のポジホログラム像とネガホログラム像との照合方法であって、（１）基材と、該基材の少なくとも一方の面に、トナーを用いた電子写真法で任意絵柄のトナー印刷部を印画しトナー印刷物を作製する電子写真工程、（２）転写基材と、該転写基材へ、離型層、ホログラム層、反射層、及び前記トナー印刷部には接着し、かつ前記基材には接着しない第一接着層とからなるホログラム転写箔の前記第一接着層と前記トナー印刷部とを重ねて加熱加圧した後に、前記転写基材を剥離し除去して、前記トナー印刷部面へ前記ポジホログラム像が転写されてなるポジホログラム像転写工程、（３）転写後の前記ポジホログラム像部分が抜けて、前記ネガホログラム像が残っているネガホログラム転写箔を得るネガホログラム転写箔工程、（４）前記ネガホログラム転写箔の前記第一接着層面へ、さらに第二接着層を設ける接着性ネガホログラム転写箔を作製する接着性ネガホログラム転写箔作製工程、（５）前記接着性ネガホログラム転写箔を用いて、被転写体へ前記ネガホログラム像を転写するネガホログラム像転写工程、（６）前記ポジホログラム像と前記ネガホログラム像とを照合する照合工程、とからなることを特徴とする。請求項２の発明に係わるネガホログラム像を有する転写体は、基材と、該基材の少なくとも一方の面に、トナーを用いた電子写真法で任意絵柄のトナー印刷部を印画しトナー印刷物としておき、転写基材と、該転写基材へ、離型層、ホログラム層、反射層、及び前記トナー印刷部には接着し、かつ前記基材には接着しない第一接着層とからなるホログラム転写箔を用いて、前記トナー印刷部へ前記ホログラム転写箔の前記第一接着層を重ねて加熱加圧した後に、前記転写基材を剥離し除去して、前記トナー印刷部面へ前記ポジホログラム像を転写し、転写後の前記ポジホログラム像部分が抜けて前記ネガホログラム像が残っているネガホログラム転写箔を得、該ネガホログラム転写箔の前記第一接着層面へ、さらに第二接着層を設けて接着性ネガホログラム転写箔とし、該接着性ネガホログラム転写箔を用いて、被転写体へ前記ネガホログラム像を転写し、前記ポジホログラム像と前記ネガホログラム像とを照合した後に、前記ネガホログラム像を有する転写体を保存しておくことを特徴とする。
【発明の効果】
【０００８】
請求項１の本発明によれば、転写後のポジホログラム像とネガホログラム像とを照合し合致することで、真贋を判定することができる効果を奏する。請求項２の本発明によれば、転写後のポジホログラム像とネガホログラム像とを照合し合致することで、貴重品の控、ネガホログラム像の紛失防止の効果を奏する。
【図面の簡単な説明】
【０００９】
【図１】本発明に用いるホログラム転写箔の断面図である。
【図２】本発明に用いるトナー印刷物とホログラム転写箔の断面図である。
【図３】本発明のポジホログラム像とネガホログラム像を説明する断面図である。
【図４】本発明に用いる接着性転写済転写箔と被転写体の断面図である。
【図５】本発明の１実施例を示すネガホログラム像を有する被転写体の断面図である。
【発明を実施するための形態】
【００１０】
以下、本発明の実施形態について、図面を参照しながら、詳細に説明する。
【００１１】
（照合方法）本発明の請求項１の発明に係わる転写後のポジホログラム像とネガホログラム像との照合方法は、（１）基材と、該基材の少なくとも一方の面に、トナーを用いた電子写真法で任意絵柄のトナー印刷部を印画しトナー印刷物を作製する電子写真工程、（２）転写基材と、該転写基材へ、離型層、ホログラム層、反射層、及び前記トナー印刷部には接着し、かつ前記基材には接着しない第一接着層とからなるホログラム転写箔の前記第一接着層と前記トナー印刷部とを重ねて加熱加圧した後に、前記転写基材を剥離し除去して、前記トナー印刷部面へ前記ポジホログラム像が転写されてなるポジホログラム像転写工程、（３）転写後の前記ポジホログラム像部分が抜けて、前記ネガホログラム像が残っているネガホログラム転写箔を得るネガホログラム転写箔工程、（４）前記ネガホログラム転写箔の前記第一接着層面へ、さらに第二接着層を設ける接着性ネガホログラム転写箔を作製する接着性ネガホログラム転写箔作製工程、（５）前記接着性ネガホログラム転写箔を用いて、被転写体へ前記ネガホログラム像を転写するネガホログラム像転写工程、（６）前記ポジホログラム像と前記ネガホログラム像とを照合する照合工程、とからなる。なお、図面では、作図の都合上、層に厚みを設けているが、実際の層は数μｍ単位であり、極く薄いものである。
【００１２】
（電子写真工程）第一工程は、（１）基材と、該基材の少なくとも一方の面に、トナーを用いた電子写真法で任意絵柄のトナー印刷部を印画しトナー印刷物を作製する電子写真工程である。図２（Ｂ）に示すように、トナー印刷物３０は、基材３１へ公知の電子写真法でトナーを用いて、任意絵柄を印画する。
【００１３】
（基材）基材３１としては、電子写真法で任意の絵柄のトナー印刷部３５を設けることができれば特に限定されるものではないが、電子写真の印刷適性から上質紙、コート紙又はＯＣＲ紙が好ましい。
【００１４】
（トナー印刷部）トナー印刷部３５を設ける電子写真法のトナーとしては、一般的に普通用紙に用いる顔料粒子を感熱樹脂中に分散させたり、顔料粒子を感熱樹脂で被って形成したものである感熱定着型のトナーでよく、電子写真法で定着されたトナー像部分（トナー印刷部３５）には感熱接着性がある。トナー印刷部３５はモノクロでもカラーでもよく、多色による印画でもよい。
【００１５】
トナー印刷部３５の画像としては、円形や星形などのスポット状、文字、数字、イラスト、写真などの任意の形状でよく、その色調も単独、複数、フルカラー用など限定されるものではない。１部づつでも、固定情報でも、オンデマンドによる可変情報でもよい。特にトナーパターンとして個人情報や機密情報の場合には、該トナーパターンへホログラムを転写すると、転写後に剥離されたホログラム転写箔にはホログラムの抜け殻としてネガ像が残ってしまうので、効果的に個人情報や機密情報を守秘できる。
【００１６】
（ホログラム転写箔の作製）第二工程は、（２）転写基材と、該転写基材へ、離型層、ホログラム層、反射層、及び前記トナー印刷部には接着し、かつ前記基材には接着しない第一接着層とからなるホログラム転写箔の前記第一接着層と前記トナー印刷部とを重ねて加熱加圧した後に、前記転写基材を剥離し除去して、前記トナー印刷部面へ前記ポジホログラム像が転写されてなるポジホログラム像転写工程である。まず、ホログラム転写箔１０は、図１に示すように、転写基材１１へ、離型層１３、ホログラム層１５、反射層１７、及び第一接着層からなり、該第一接着層はトナー印刷部３５には接着し、かつ前記基材３１には接着しない接着剤を選定すればよい。
【００１７】
（転写基材）転写基材１１としては、特に限定されるものではないが、例えば、ポリエチレンテレフタレート、ポリブチレンテレフタレート、ポリエチレンナフタレート、ポリエチレンテレフタレート−イソフタレート共重合体などのポリエステル系樹脂、ポリアミド系樹脂、ポリメチルペンテン、ポリノルボネンなどの環状ポリオレフィン系樹脂、ポリカ−ボネ−ト系樹脂、などがあり、これら樹脂を主成分とする共重合樹脂、または、混合体（アロイでを含む）、若しくは複数層からなる積層体であっても良い。好ましい転写基材１１としては、機械的強度を向上させる目的で、フィルムの厚さとしては、通常６μｍ〜１００μｍ程度、好ましくは１２μｍ〜５０μｍ程度の二軸延伸ポリエチレンテレフタレートフィルムが機械的強度や転写適性の点で最適である。
【００１８】
（離型層）離型層１３としては、特に限定されるものではないが、例えば、離型性樹脂、離型剤を含んだ樹脂、電離放射線で架橋する硬化性樹脂などが適用できる。離型性樹脂は、例えば、弗素系樹脂、シリコーン、メラミン系樹脂、エポキシ樹脂、ポリエステル樹脂、アクリル系樹脂、繊維素系樹脂などである。離型剤を含んだ樹脂は、例えば、弗素系樹脂、シリコーン、各種のワックスなどの離型剤を、添加または共重合させたアクリル系樹脂、ビニル系樹脂、ポリエステル樹脂、繊維素系樹脂などである。電離放射線で架橋する硬化性樹脂は、例えば、紫外線（ＵＶ）、電子線（ＥＢ）などの電離放射線で重合（硬化）する官能基を有するモノマー・オリゴマーなどを含有させた樹脂である。好ましくは、薄い層でも剥離性のよいメラミン系樹脂である。離型層１３の形成は、該樹脂を溶媒へ分散又は溶解して、ロールコート、グラビアコートなどの印刷又はコーティング方法で塗布し乾燥して塗膜を形成したりすれば良い。また、要すれば、温度３０℃〜１２０℃で加熱乾燥、あるいはエージング、または電離放射線を照射して架橋させてもよい。離型層１３の厚さとしては、通常は０．０１μｍ〜５．０μｍ程度、好ましくは０．５μｍ〜３．０μｍ程度である。該厚さは薄ければ薄い程良いが、０．１μｍ以上であればより良い成膜が得られて剥離力が安定する。
【００１９】
（保護層）必要に応じて、転写表面の耐久性を向上させるために、保護層を設けてもよく、該保護層としては、従来公知の熱可塑性樹脂、熱硬化性樹脂、反応型樹脂、電子線硬化型樹脂、紫外線硬化型樹脂やこれらの混合物が使用される。熱可塑性樹脂としては、例えば、アクリル系樹脂、ウレタン系樹脂、ポリアミド系樹脂、セルロース誘導体、ポリエステル系樹脂、ポリカーボネート樹脂などが例示できる。熱硬化性樹脂または反応型樹脂としては、例えば、熱又は硬化剤（架橋剤）で硬化させるポリウレタン系樹脂、ポリエステル系樹脂、メラミン系樹脂などが例示できる。また、各種の機能を持った化合物が添加剤として、分散剤、帯電防止剤、酸化防止剤、防黴剤、着色剤、溶剤等を適宜添加してもよい。
【００２０】
（ホログラム層）ホログラム層１５としては、無色または着色された透明または半透明なもので、単層であっても多層状であってもよく、凹凸を注型や型押しで再現できる熱可塑性樹脂、硬化性樹脂、あるいは、光回折パターン情報に応じて硬化部と未硬化部とを成形することができる感光性樹脂組成物が利用できる。具体的には、例えば、ポリ塩化ビニル、アクリル（ポリメチルメタクリレート）、ポリスチレン、またはポリカーボネート等の熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、またはトリアジン系アクリレート等の熱硬化性樹脂であり、それぞれの単独、熱可塑性樹脂どうし、または熱硬化性樹脂同志の混合、もしくは熱可塑性樹脂と熱硬化性樹脂の混合等であってもよい。ラジカル重合性不飽和基を有し、熱成形性を有するものや、ラジカル重合性不飽和モノマーを添加した電離放射線硬化性樹脂組成物も利用できる。ホログラム層１５としては、電離放射線硬化樹脂を主成分とし、必要に応じてシリコーンやフィラーなどの添加物を含ませてもよい。好ましくは、ホログラム層１５がウレタン変性アクリレート樹脂、（メタ）アクリレートオリゴマー、反応性シリコーン、ポリエチレンワックスを含む組成物の硬化層である。
【００２１】
該電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
【００２２】
（電離放射線硬化性樹脂）電離放射線硬化性樹脂としては、例えば、エポキシ変性アクリレート樹脂、ウレタン変性アクリレート樹脂、アクリル変性ポリエステル等が適用でき、好ましくはウレタン変性アクリレート樹脂である。好ましいウレタン変性アクリレート樹脂としては、「電離放射線硬化性樹脂組成物Ｍ」である。該「電離放射線硬化性樹脂組成物Ｍ」としては、ウレタン（メタ）アクリレートオリゴマーを含有する電離放射線硬化性樹脂（本明細書では電離放射線硬化性樹脂組成物Ｍと呼称する）は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）、ユピマーＵＶ・Ｖ３０３１（三菱化学（株）製、電離放射線硬化性樹脂商品名）が例示できる。即ち、「電離放射線硬化性樹脂組成物Ｍ」（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂と（メタ）アクリレートオリゴマーの硬化物、及び滑剤を含み、かつ、ホログラム層は（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂（本明細書では「電離放射線硬化性樹脂組成物Ｍ」と呼称する）である。また、必要に応じて、（メタ）アクリレートオリゴマーなどを含ませてもよい。
【００２３】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。含有させる質量基準での割合としては、「電離放射線硬化性樹脂組成物Ｍ」１００部に対して１０〜３０部程度、好ましくは１５〜２５部である。この範囲未満では耐熱性が不足し、この範囲を超えては耐熱性はよいが、ヒビ割れしやすい。
【００２４】
（シリコーン）シリコーンとしてはシリコーンオイルや反応性シリコーンなどが例示できる。好ましくは反応性シリコーンで、電離放射線で硬化時に樹脂と反応し結合して一体化したり、１部は残留するものもある。該反応性シリコーンとしてはアクリル変性、メタクリル変性、又はエポキシ変性などで変性した反応性シリコーンで、該反応性シリコーンを含有させる質量基準での割合としては「電離放射線硬化性樹脂組成物Ｍ」１００に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への反射層の密着性が低く、ホログラム層と反射層との間で剥離し商品価値を失ってしまう。従来のシリコーンオイルの添加では、反射層との密着性が悪い。
【００２５】
（フィラー）フィラーとしてはマイクロシリカやポリエチレンワックスが例示できる。ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化性樹脂１００質量部に対して、０．０１〜１０質量部程度、好ましくは０．１〜５質量部とする。
【００２６】
このように、ホログラム層１５へ電離放射線硬化樹脂、シリコーン及びフィラーを含ませることで、次の作用効果を兼ねさせることができる。（１）電離放射線硬化前の塗布状態のホログラム層１５の塗膜は指乾状態でべとつかず、ブロッキングせずに巻き取ることができるので、ロールツーロール加工ができる。（２）ホログラム層１５へは反応性シリコーンを含ませることで、賦型性がよいので、レリーフ構造を容易に賦型でき、賦型後に電離放射線で硬化できる。
【００２７】
（ホログラム層の形成）ホログラム層１５の形成は、上記のウレタン変性アクリレート樹脂、（メタ）アクリレートオリゴマー、反応性シリコーン、ポリエチレンワックスを含ませ、さらに必要に応じて、光重合開始剤、可塑剤、安定剤、界面活性剤等を加え、溶媒へ分散または溶解して、ロールコート、グラビアコートなどの公知のコーティング方法で塗布し乾燥して、電離放射線で反応（硬化）させればよい。ホログラム層１５の厚さとしては、通常は１μｍ〜３０μｍ程度、好ましくは２μｍ〜２０μｍ程度である。複数回の塗布でもよい。
【００２８】
（ホログラム）次に、ホログラム層１５の表面には、ホログラムなどの光回折効果の発現する所定のレリーフ構造を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。特に、ホログラムを回折格子又は複数の回折格子の組合せからなるようにすることで、光が回折して虹模様を呈する。
【００２９】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００３０】
（レリーフの賦型）ホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００３１】
（レリーフの硬化）ホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層１５）となる。電離放射線としては、電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。レリーフホログラム層１５として、熱硬化性樹脂を用いた場合には、使用する熱硬化性樹脂の硬化条件に応じた温湿度環境下で、エージングを行い硬化させればよい。なお、保護層に硬化性樹脂を用いた場合の硬化はホログラム層１５と同時でもよく、予め硬化させておいてもよい。
【００３２】
（レリーフの絵柄）ホログラム層１５の絵柄を擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。大面積又は全面のホログラム絵柄を背景とし他の任意な印刷絵柄と、同調させたり、合わせたりして、さらなる特異な意匠性を向上させることができる。
【００３３】
（反射層）ホログラム層１５のレリーフ面に反射層１７を設けることにより、その光学的な屈折率がホログラム形成層のそれとは異なることにより、ホログラムの再生像および／または回折格子が明瞭に視認できるようになる。反射層１７としては、金属、またはホログラム層１５と屈折率に差のある透明金属化合物が適用できる。金属を用いると金属光沢ホログラムとなり、透明金属化合物を用いると透明ホログラムとなる。
【００３４】
金属としては、金属光沢を有し光を反射する金属元素の薄膜で、蒸着、スパッタリングにより得られるが、その他、メッキなどによっても形成できる。反射層１７の金属の薄膜としては、アルミニウム、クロム、ニッケル、金、銀などが例示できるが、蒸着のし易さ、コスト面からアルミニウムが好ましい。
【００３５】
ホログラム層１５のレリーフ面に２００オングストローム、あるいはそれ以上の厚みになるよう、蒸着、スパッタリング、イオンプレーティングなどで設ける。
【００３６】
反射層１７として、ホログラム層１５とは異なる屈折率を有するものを用いると、ほぼ無色透明な色相で、金属光沢が無いにもかかわらず、ホログラムが視認できるから、透明なホログラムを作製することができる。例えば、ホログラム層１５よりも光の屈折率の高い薄膜、および光の屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。アルミニウム等の一般的な光反射性の金属薄膜も、厚みが２００Å以下になると、透明性が出てくるため、上記のようなホログラム層１５とは光の屈折率が異なる物質の透明な薄膜と同じ効果を発揮するので、使用できる。透明金属化合物の形成は、金属の薄膜と同様、レリーフ構造が賦型された光回折構造（ホログラム層１５）の面に、２００オングストローム、あるいはそれ以上の厚みになるよう、蒸着、スパッタリング、イオンプレーティングなどの真空薄膜法などにより設ける。好ましくは、既存の設備及び技術で形成できる点で、硫化亜鉛又は酸化チタンである。
【００３７】
（第一接着層）第一接着層１９としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂、ポリオレフィン系樹脂などが挙げられるが、本発明の第一接着層１９としては、第一接着層１９が基材３１の非印刷部には非接着で、トナー印刷部３５には接着する点から、ポリオレフィン系樹脂が好ましく、特に好ましくは変性ポリオレフィン系樹脂で、例えば和信化学工業（株）製のプラスコートＯＰ−１６クリヤーなどが例示できる。これらの樹脂を溶剤に溶解または分散させて、適宜顔料などの添加剤を添加して、公知のロールコーティング、グラビアコーティングなどの方法で塗布し乾燥させて、厚さ０．１μｍ〜３０μｍの層を得る。
【００３８】
（ポジホログラム像転写工程）前記ホログラム転写箔の前記第一接着層と前記トナー印刷部とを重ねて加熱加圧した後に、前記転写基材を剥離し除去して、前記トナー印刷部面へ前記ポジホログラム像が転写する。図２（Ｂ）に示すトナー印刷物３０のトナー印刷部３５へ、図２（Ａ）に示すホログラム転写箔１０の転写層２０の第一接着層１９を重ねておき、加熱加圧した後に、転写基材１１を剥離し除去すると、図３（Ｂ）のように、トナー印刷部３５面へポジホログラム像４１が転写されると、図３（Ｂ）のように、トナー印刷部３５面へポジホログラム像４１が転写される。
【００３９】
（ネガホログラム転写箔工程）第三工程は、（３）転写後の前記ポジホログラム像部分が抜けて、前記ネガホログラム像が残っているネガホログラム転写箔を得るネガホログラム転写箔工程である。図３（Ｂ）でトナー印刷部３５面へポジホログラム像４１が転写されると、図３（Ａ）のように、ポジホログラム像４１が抜けて、ネガホログラム像４３が残ったネガホログラム転写箔５０が得られる。
【００４０】
（接着性ネガホログラム転写箔作製工程）第四工程は、（４）前記ネガホログラム転写箔の前記第一接着層面へ、さらに第二接着層を設ける接着性ネガホログラム転写箔を作製する接着性ネガホログラム転写箔作製工程である。図４（Ａ）のように、ネガホログラム像４３が残ったネガホログラム転写箔５０の第一接着層１９面へ、第二接着層２９を設けて、接着性ネガホログラム転写箔６０を作製する。
【００４１】
（第二接着層）第一接着層１９は基材３１には非接着で、かつトナー印刷部３５には接着する接着剤を用いたが、第二接着層２９としては、このような制限はなく、被転写体１０１へ接着すればよい。被転写体１０１へ合わせて選択すればよく、公知の加熱されると溶融または軟化して接着効果を発揮する感熱接着剤が適用でき、具体的には、塩化ビニール酢酸ビニール共重合樹脂、アクリル系樹脂、ポリエステル系樹脂、ポリオレフィン系樹脂などが挙げられる。特に好ましくは、例えば和信化学工業（株）製のプラスコートＯＰ−２クリヤーなどが例示できる。これらの樹脂を溶剤に溶解または分散させて、適宜顔料などの添加剤を添加して、公知のロールコーティング、グラビアコーティングなどの方法で塗布し乾燥させて、厚さ０．１μｍから３０μｍの層を得る。
【００４２】
（ネガホログラム像転写工程）第五工程は、（５）前記接着性ネガホログラム転写箔を用いて、被転写体へ前記ネガホログラム像を転写するネガホログラム像転写工程である。図４（Ａ）（Ｂ）のように、被転写体１０１と、接着性ネガホログラム転写箔６０の第二接着層２９面とを重ね合わせて加熱加圧した後に、転写基材１１を剥離し除去すれば、図５に示すように、被転写体１０１へネガホログラム像４３が転写され、ネガホログラム像４３が転写された転写体となる。
【００４３】
（ラベル化）また、第五工程では、第二接着層２９に粘着剤を用いて、被転写体１０１へ貼着してもよい。転写基材１１及びネガホログラム像４３を含む粘着性ネガホログラム転写箔そのものが貼着されてラベルとすることもできる。また、第二接着層２９を設けないネガホログラム転写箔５０と被転写体１０１とを、別途接着剤を用いたラミネート法で積層してもよく、所望の大きさにカットすればラベルとなる。
【００４４】
（照合工程）第六工程は、（６）前記ポジホログラム像と前記ネガホログラム像とを照合する照合工程である。ポジホログラム像４１とネガホログラム像４３との照合は、目視でもよく、機械的に行ってもよい。例えば、ポジホログラム像４１及びネガホログラム像４３を撮影して照合すれば全面が埋まることで、照合できる。ネガホログラム像４３はポジホログラム像４１が抜けた状態であるから、像が一致することは明白である。
【００４５】
（転写体）ネガホログラム像を有する転写体としては、基材と、該基材の少なくとも一方の面に、トナーを用いた電子写真法で任意絵柄のトナー印刷部を印画しトナー印刷物としておき、転写基材と、該転写基材へ、離型層、ホログラム層、反射層、及び前記トナー印刷部には接着し、かつ前記基材には接着しない第一接着層とからなるホログラム転写箔を用いて、前記トナー印刷部へ前記ホログラム転写箔の前記第一接着層を重ねて加熱加圧した後に、前記転写基材を剥離し除去して、前記トナー印刷部面へ前記ポジホログラム像を転写し、転写後の前記ポジホログラム像部分が抜けて前記ネガホログラム像が残っているネガホログラム転写箔を得、該ネガホログラム転写箔の前記第一接着層面へ、さらに第二接着層を設けて接着性ネガホログラム転写箔とし、該接着性ネガホログラム転写箔を用いて、被転写体へ前記ネガホログラム像を転写し、前記ポジホログラム像と前記ネガホログラム像とを照合した後に、前記ネガホログラム像を有する転写体を保存することを特徴とするネガホログラム像を有する転写体である。
【００４６】
該ネガホログラム像を有する転写体を保存しておけば、トナー印刷部のパターンが個人情報や機密情報などの場合でも、ポジホログラム像４１が抜けたネガホログラム像４３が保管されるので、抜け殻であるネガホログラム像４３を含む転写後のホログラム転写箔の紛失防止になり、セキュリティー管理上も安心である。
【００４７】
さらに、例えば、高価な貴重品等の媒体のトナー印刷部にポジホログラム像４１を転写、残ったネガホログラム像４３もネガホログラム像を有する転写体として、媒体の控えとして保存しておけば、ポジホログラム像４１とネガホログラム像４３とを照合することで、真贋を判定することもできる。
【００４８】
また、トナー印刷部のパターン通りにポジホログラム像４１が転写されて抜けるので、抜け殻であるネガホログラム像４３を含む転写後のホログラム転写箔は、デメタライズホログラム転写箔、及びデメタライズホログラムラベルとしても利用することができる。
【実施例】
【００４９】
以下、実施例及び比較例により、本発明を更に詳細に説明するが、これに限定されるものではない。なお、溶媒を除き、各層の各組成物は固形分換算の質量部である。
【００５０】
（参考例１）転写基材１１として厚さ２５μｍのＰＥＴフィルムを用い、該転写基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、離型層１３を形成した。
該離型層１３面へ、下記の電離放射線硬化性樹脂組成物をグラビアリバースコーターで乾燥後の厚さが２μｍになるように、塗工し１００℃で乾燥させた。
・＜ホログラム層の電離放射線硬化性樹脂組成物＞
ＭＨＸ４０５ニス（ザ・インクテック（株）電離放射線硬化性樹脂商品名）２５質量部
メタアクリレートオリゴマー（日本合成化学社製、商品名紫光６６３０Ｂ）５質量部
反応性シリコーン（信越化学社製、商品名Ｘ−２２−２４４５）    ０．１５質量部
ポリエチレンワックス（平均粒径５μｍ）                          ０．６質量部
光重合開始剤（チバ社製、商品名イルガキュア１８４）              ０．９質量部
溶媒（酢酸エチル：メチルイソブチルケトン＝１：１）                ７０質量部
次に、該層は電離放射線硬化前であり、塗膜は指乾状態であった。該層面へ、２光束干渉法による回折格子から２Ｐ法で複製した擬似連続絵柄としたプレス型を複製装置のエンボスローラーに貼着して、相対するローラーと間で加熱プレス（エンボス）して、微細な凹凸パターンからなるレリーフを賦形させた。賦形後直ちに、高圧水銀灯を用いて紫外線を照射して硬化させて、ホログラム層１５を形成した。
該ホログラム層１５のレリーフ面へ、厚さ５０ｎｍの酸化チタンを真空蒸着法で形成して、反射層１７とした。
該透明反射層１７面へ、第一接着層組成物として下記の第一接着層組成物をグラビアコーターで乾燥後の塗布量が１μｍになるように、塗工し６０℃で乾燥させて、第一接着層１９を形成して、転写基材１１／離型層１３／ホログラム層１５／反射層１７／第一接着層１９の層構成からなる参考例１のホログラム転写箔１０を得た。
・＜第一接着層組成物＞
変性ポリオレフィン系樹脂
（和信化学工業社製、プラスコート、ＳＴ、ＯＰ−１６クリヤー）  １００部
酢酸エチル                                                        ２０部
トルエン                                                          １０部
【００５１】
（参考例２）反射層１７として厚さ５００ｎｍのアルミニウムを用いる以外は、参考例１と同様にして、参考例４の金属光沢を有するレリーフホログラム転写箔１０を得た。
【００５２】
（実施例１）基材３１として四六判９０ｋｇの上質紙をＡ４版に切断し、キャノン社製コピー機を用いて、電子写真法で黒色トナーを用い、「日本国産」の絵柄をコピー印刷を行い、トナーで形成された任意の選択パターンである「日本国産」の個別絵柄のトナー印刷部３５を得た。該トナー印刷部３５を含む基材３１へ、参考例１のホログラム転写箔１０を重ねて、転写ロール温度が１４０℃、転写速度１．６ｍ／分で連続走行するラミネーターに通した後、基材３１からホログラム転写箔１０の転写基材１１のみを剥がした。
参考例１のホログラム転写箔１０を用いて、基材３１の個別絵柄のトナー印刷部３５である「日本国産」の絵柄部分のみへホログラム層１５及び反射層１７が転写されていた。そして、虹色に輝く回折格子のホログラムを透過して「日本国産」が目視できた。
ラミネーター後に剥がしたホログラム転写箔１０はネガホログラム転写箔５０となっており、該ネガホログラム転写箔５０の第一接着層１９へ、第二接着層組成物として下記の第二接着層組成物をグラビアコーターで乾燥後の厚さが１μｍになるように、塗工し６０℃で乾燥させて、第二接着層２９を形成して、転写基材１１／離型層１３／ホログラム層１５／反射層１７／第一接着層１９／第二接着層２９の層構成からなる接着性ネガホログラム転写箔６０を得た。
・＜第二接着層組成物＞
変性ポリオレフィン系樹脂
（和信化学工業社製、プラスコート、ＳＴ、ＯＰ−１６クリヤー）  ５０部
アクリル系樹脂
（和信化学工業社製、プラスコート、ＳＴ、ＯＰ−２クリヤー）    ５０部
酢酸エチル                                                        ２０部
トルエン                                                          １０部
得られた接着性ネガホログラム転写箔６０を、被転写体１０１とした四六判９０ｋｇの上質紙を重ねて、公知の箔押機で金型温度が１４０℃、転写時間０．５秒の転写条件で箔押した後、転写基材１１のみを剥がすことで、ネガホログラム像４３が転写された転写体が得られた。
該ネガホログラム像４３を、先のポジホログラム像４１と照合すると、「日本国産」の絵柄部分がネガ・ポジの関係で一致していた。
【００５３】
（実施例２）参考例２のホログラム転写箔１０を用いる以外は、実施例１と同様にしたところ、金属光沢のポジホログラム像４１とネガホログラム像４３とが観察され、該ネガホログラム像４３とポジホログラム像４１もネガ・ポジの関係で一致していた。
【００５４】
（実施例３）黒トナーを用い異なる「個人名」を順にコピー印刷を行い、トナーで形成された複数の「個人名」が印画されたトナー印刷部３５を用いる以外は実施例２と同様にした。「個人名」部分のみへ個人名のポジホログラム像４１が転写され、被転写体１０１には個人名のネガホログラム像４３があり、ネガ・ポジの関係で一致していた。
【産業上の利用可能性】
【００５５】
本発明の転写後のポジホログラム像とネガホログラム像との照合方法の主なる用途としては、ポジ像とネガ像とを照合し合致すれば真贋を判定することができ、また、トナー印刷物が個人情報や機密情報を含む場合でも、ポジホログラム像が転写され、転写後に剥離されたホログラム転写箔には抜け殻としてネガ像が残っても保存されるので、該ネガ像から個人情報や機密情報が他人へ漏れることがなく、また、残ったネガホログラム像４３は媒体の控えとし、ポジ像とを照合し合致すれば真正であることが判定される。
【符号の説明】
【００５６】
１０：ホログラム転写箔
１１：転写基材
１３：離型層
１５：ホログラム層
１７：反射層
１９：第一接着層
２０：転写層
２９：第二接着層
３０：トナー印刷物
３１：基材
３５：トナー印刷部
４１：ポジホログラム像
４３：ネガホログラム像
５０：ネガホログラム転写箔
６０：接着性ネガホログラム転写箔
１０１：被転写体
【図１】
2014059419.tif 000003
【図２】
2014059419.tif 000004
【図３】
2014059419.tif 000005
【図４】
2014059419.tif 000006
【図５】
2014059419.tif 000007